(57)【要約】【課題】  液体飲用ボトルと直接作動するように組み合わせられる改良型手動柑橘類圧搾器を提供する。【解決手段】  柑橘類圧搾器は液体飲用ボトルに取り外し可能に連結されると共に流体連通するように設けられる。飲用ボトルに入れられた流体には、柑橘類圧搾器ですり潰され或いは圧潰された果物からのエキスが浸出する。柑橘類圧搾圧潰アセンブリの圧潰容積および容器の間の流体連通により、これらの天然成分全てが飲料物に直接注がれ、その成分と同程度に豊富で自然な栄養に富む爽やかに風味付けされた飲料物が生成される。【選択図】図１
2015044624.tif 000002
【特許請求の範囲】
【請求項１】
エキス抽出器および液体容器の組み合わせであって、
柑橘類圧搾器と、
前記柑橘類圧搾器と組み合わせられる液体飲用ボトルとを含み、
前記飲用ボトルは液密であり一体化された貯蔵調合容積を形成し、前記容積は潰される食材および前記柑橘類圧搾器から出た抽出直後の食用芳香油と流体連通することにより、前記潰された食材および前記抽出直後の食用芳香油が前記飲用ボトル内に封じ込められた調合容積と直接連続して混ざり、且つ、そこから飲むのに適するように調合される
エキス抽出器および液体容器の組み合わせ。
【請求項２】
前記飲用ボトルは、前記柑橘類圧搾器が前記飲用ボトルに取り付けられた状態で、前記飲用ボトルからの飲料物としての液体を直接飲むために調合するように適応しており、更に、前記飲用ボトルは、前記柑橘類圧搾器が前記飲用ボトルに取り付けられ、或いは飲用ボトルから取り外されていようが、前記飲用ボトルからの前記液体を調合するように適応している、請求項１のエキス抽出器および液体容器の組み合わせ。
【請求項３】
前記液体飲用ボトルは更に、前記調合容積にビジュアルアクセスできるようにのぞき窓を形成する、請求項２のエキス抽出器および液体容器の組み合わせ。
【請求項４】
前記容器は飲料液で特定して使用するように適応しており、更に、前記調合容積からの内容物を分配するための飲み口を含む、請求項１のエキス抽出器および液体容器の組み合わせ。
【請求項５】
前記容器は、前記柑橘類圧搾器が前記液体飲用ボトルに取り外し可能に連結されると共に、前記調合容積と流体連通するように、前記柑橘類圧搾器と作動連結される、請求項１のエキス抽出器および液体容器の組み合わせ。
【請求項６】
前記手潰し型柑橘類圧搾器は、容器のねじに取り外し可能に取り付けられるためのねじ溝を更に含む、請求項１のエキス抽出器および液体容器の組み合わせ。
【請求項７】
前記手潰し型柑橘類圧搾器は、前記飲用ボトルおよび封止キャップの間の所定位置に摩擦で封じ込められる、請求項１のエキス抽出器および液体容器の組み合わせ。
【請求項８】
前記手潰し型柑橘類圧搾器は蓋を用いて閉められ、密封され且つ封じ込められる、請求項６のエキス抽出器および液体容器の組み合わせ。
【請求項９】
前記手潰し型柑橘類圧搾器は、前記ボトルに固定するための打栓機器を更に含む、請求項１のエキス抽出器および液体容器の組み合わせ。
【請求項１０】
抽出直後の食用芳香油を飲料液と混合する方法であって、
飲用ボトルと取り外し可能に連結されると共に連続流体連通するエキス抽出器内で食用芳香油を抽出するために食材を圧潰させる工程を含むことにより、前記食材および抽出直後の食用芳香油が調合容積内で連続直接混合されると共に、飲料に適する方法で前記調合容積から分配される方法。
【請求項１１】
食用芳香油を飲用可能な液体に抽出および浸出させるエキス抽出器および液体容器の組み合わせであって、
柑橘類圧搾器と、
前記柑橘類圧搾器と組み合わせられる飲用液体飲用ボトルと、前記液体飲用ボトルは前記柑橘類圧搾器に取り外し可能に連結され、前記液体飲用ボトルは更に、前記柑橘類圧搾器と連続流体連通する飲料物貯蔵調合流体容積を形成することにより、抽出直後の食用芳香油の直接混合が可能であり、
前記柑橘類圧搾器および前記液体飲用ボトルの間の分離機構とを含み、前記分離機構は、潰された食材が前記貯蔵調合流体容積を物理的に連通するのを妨げつつ、前記潰された食材および抽出直後の食用芳香油が前記貯蔵調合流体容積を流体連通するのを可能にするように適合している
エキス抽出器および液体容器の組み合わせ。
【請求項１２】
前記液体飲用ボトルは、前記柑橘類圧搾器が前記液体飲用ボトルに取り付けられつつ、前記潰された食材および浸出液を液漏れしないように封じ込めるように適合している、請求項１１のエキス抽出器および液体容器の組み合わせ。
【請求項１３】
前記液体飲用ボトルは更に、前記調合流体容積へのビジュアルアクセスを可能にする、請求項１２のエキス抽出器および液体容器の組み合わせ。
【請求項１４】
前記分離機構は、前記貯蔵調合流体容積への物理的連通から柑橘類の外皮および固形物を保持しつつ、前記液体と前記柑橘類の外皮および固形物および抽出直後の食用芳香油の流体連通を可能にするメッシュを有した網を含む、請求項１１のエキス抽出器および液体容器の組み合わせ。
【請求項１５】
前記柑橘類圧搾器は前記飲用ボトルの容積内に入れられる、請求項１のエキス抽出器および液体容器の組み合わせ。
【請求項１６】
食用芳香油の抽出および浸出のために食材を圧潰する柑橘類エキス抽出器であって、
柑橘類圧搾器と、
前記柑橘類圧搾器に取り外し可能に連結されると共に前記柑橘類圧搾器を入れる携帯型液体調合容器とを含み、前記液体調合容器は更に、前記柑橘類圧搾器と連続流体連通する漏れ止め一体型封じ込め貯蔵調合流体容積を形成することにより、前記柑橘類圧搾器からの抽出直後の食用芳香油の連続混合が、前記液体調合容器内で直接可能とされ、
前記液体調合容器は、前記柑橘類圧搾器が前記液体飲用ボトルに取り外し可能に連結されると共に、前記調合容積と流体連通するように、前記柑橘類圧搾器と作動連結される
柑橘類エキス抽出器。
【請求項１７】
封じ込められた前記柑橘類圧搾器および前記液体調合容器の間の分離機構を更に含み、前記分離機構は、流体連通を許可しつつ、前記液体容器への果肉の連通に対して所望の障壁となるように選択される透過性を有する、請求項１６の柑橘類エキス抽出器。
【請求項１８】
前記調合容器は更に、前記調合容積へのビジュアルアクセスを可能にする、請求項１７の柑橘類エキス抽出器。
【請求項１９】
前記柑橘類圧搾器は、上方、下方、および内部からなるグループから選択された配置で、前記液体調合容器と相対的に位置決めされる、請求項１７の柑橘類エキス抽出器。
【発明の詳細な説明】
【技術分野】
【０００１】
本発明は概して、抽出された食用芳香油により飲料物を向上させる飲料容器に関し、特に、抽出直後の柑橘類果汁、油等を連続して飲料液に直接混合する液体飲用ボトルと組み合わせた手潰し型柑橘類圧搾器に関する。
【背景技術】
【０００２】
手持ち式の柑橘類圧搾器は、当該技術分野では周知の台所器具である。商業的に標準である一般的な構成は、逆円錐形または逆王冠形であり、リーマーの刃と間隔が空けられた長溝を交互に有し、その上にレモン、ライム、グレープフルーツ等の柑橘果物が手によって押し付けられ、絞られ、且つ潰されることにより、果実、果汁、および油が取り出される。刃は果物を擦り取る一方、長溝は液体を通過させつつ核や種は通過させないように概ね寸法が定められる。
【０００３】
このような手持ち式柑橘類圧搾器を使用することにより、１から数個の果物の果汁を容易に抽出することができるが、柑橘飲料を生成するための使用は煩わしく、効率が悪く、一般的に受け入れられないものである。高速の電子式ジューサは、特に果実飲料を生成するために昨今利用されているが、このような機器は煩わしく、高価であり、過度の掃除を必要とし、また、柑橘類浸出水または同様のエキス浸出飲料をコップ一杯作るのに過剰であると見られている。
【発明の概要】
【発明が解決しようとする課題】
【０００４】
その結果、果物や抽出直後の食用芳香油等を、密封飲料容器内の液体と直接混合または組み合わせることを目的として、食用芳香油を抽出するための単純且つ簡単で、直感的に操作され、更に安価な携帯型装置や方法が必要とされる。
【課題を解決するための手段】
【０００５】
従って、本発明の目的は、食用芳香油を飲料容器内に抽出するために、食材を圧潰する改良型エキス抽出器を提供することにある。
【０００６】
本発明の特徴は、抽出直後の柑橘果汁、油等を飲料液に直接混合させる一方、果物を液体から離したままにする液体飲用ボトルと組み合わせた手潰し型柑橘類圧搾器を提供することにある。
【０００７】
本発明の一実施形態を簡略して説明すると、概ね一般的な構成の手動式柑橘類圧搾器が、液体飲用ボトルと直接作動するように組み合わせられて提供される。柑橘類圧搾器は、液体飲用ボトルと取り外し可能に連結され、且つ、流体連通するように供給される。容器は、飲用ボトルとして適合しており、内部に入れられた飲料物には、柑橘類圧搾器から、潰され或いは圧潰させられた果物からのエキスが浸出する。柑橘類圧搾器はボトルの内部または外部のいずれにあってもよく、いずれの構成であっても、直接浸出が可能である。柑橘類圧搾圧潰アセンブリの圧潰容積、果物自体、および容器の流体連通により、これらの天然原料全てが飲料物に直接注がれ、爽やかに風味付けられた飲料物を作ることができる。飲料水と併せて使用するように構成される場合には、密封状態で一口飲むことができるように、スポーツキャップが設けられてもよい。
【０００８】
上記のような実施形態において、容器は、柑橘類圧搾器が液体調合容器に取り外し可能に連結されると共に、液体容積と流体連通しつつ、密封状態で封じ込められた飲料物を保持するように、柑橘類圧搾器と作動連結されるように変形させられてもよい。従って、使用者が液体を飲みつつ、柑橘類圧搾器は容器に取り付けられたままであってよく、或いは、柑橘類圧搾器は液体を飲む前に取り外されてもよい。柑橘類圧搾器は上部、中間部、下部に置かれてよく、或いは、任意の特定な配置または形態であっても対応するものであるが、食物抽出物、食物自体、および芳香油が、容積の液体内容物と直接混合されるように、潰された食材と液体容積の間の流体連通を前提とする。
【０００９】
本発明の効果としては、抽出直後の食物、食物自体、果物等からの芳香油等を目的の希釈液、例えば水、沸騰水、ウォッカ等と直接混合できる一方、使用者は柑橘類圧搾器を先に取り外すことなくボトルから飲むことができる。
【００１０】
また、本発明の好適な実施形態では、効率的に手動操作でき、繰り返し使用でき、掃除が簡単であり、且つ入手および操作が経済的である。
【００１１】
本発明の効果および構成は、以下のより詳細な説明および請求の範囲を、添付の図面と併せて参照することにより、より完全に理解される。図面中、同じ要素は同じ符号で特定される。
【図面の簡単な説明】
【００１２】
【図１】本発明の好適な実施形態に係る液体飲用ボトルと組み合わせた手潰し型柑橘類圧搾器を示す前面斜視図。
【図２】図１の左側面図であり、反対側は鏡像である。
【図３】図１の前面図。
【図４】図３のIV-IV線視断面図。
【図５】図１の上面図。
【図６】図１の底面図。
【図７】ａは本発明に係る液体飲用ボトルと組み合わせた手潰し型柑橘類圧搾器の別の位置配置を図示する部分展開斜視図。ｂはａの断面図。ｃはａの部分展開図。
【発明を実施するための形態】
【００１３】
本発明の最良実施態様を、本明細書中の図面に示す好適な実施形態に関して提示する。
【００１４】
１．図面の詳細な説明
図１〜図６を参照すると、概して符号１０が付された本発明の好適な実施形態に係る手潰し型砕柑橘類圧搾果汁抽出器および液体容器の組み合わせを示しており、組み合わされた柑橘類圧搾器１２即ち手動式果実圧潰アセンブリは、液体飲用ボトル１４に取り外し可能に取り付けられ、且つ流体連通している。保持または分離漉し器即ち分離機構１６が、柑橘類圧搾器１２および飲用ボトル１４の間に取り付けられており、所望する漉し器１６の寸法に応じて、種、外皮、また果肉でさえも保持しつつ、抽出された果汁の流体連通を可能にする。
【００１５】
飲用ボトル１４は、のぞき窓１８を形成するために、ステンレス鋼または透明なポリカーボネートまたはPBA（ビスフェノールA）が存在しないエポキシ樹脂から形成されることが予想され、調合容積２０へのビジュアルアクセスが可能である。ボトル１４自体は、あらゆる工業デザインや多様な目的に適合させられてよい。一例として、好適な実施形態は、ボトル１４の上部開口２４とねじ係合される取り外し可能な上蓋２２を有する飲用ボトルである。しかしボトル１４は、他の用途で使用するように適合してもよい。
【００１６】
図示するように、柑橘類圧搾器１２は、飲用ボトル１４の下面２６と連結するように形成される。このような実施形態において、底キャップ２８が飲用ボトル１４の下面２６に直接ねじ係合される。このようにして、内部に入れられた飲料物には、果物が底キャップ２８および柑橘類圧搾器１２の間でぶつかった時に生成される、潰され或いは圧潰させられた果物からのエキスが浸出する。柑橘類圧搾器１２の圧潰容積およびボトル１４の間の流体連通により、これらの天然成分全てが飲料物に直接注がれる。
【００１７】
柑橘類圧搾器１２は所定位置に適合させられると共に、使用中に固定されるように、飲用ボトル１４および底キャップ２８の間で摩擦衝突させられる。しかし、柑橘類圧搾器１２を取り付けると共に使用中に固定する他の方法が提供されてもよく、例えば、圧搾器１２を飲料ボトル１４の底に直接取り外し可能に取り付けるために、外縁の周りにねじ溝を形成する方法を含む。柑橘類圧搾器１２はまた、ボトル１４上のねじに取り外し可能に固定するための打栓機器を含むように適合していてもよい。
【００１８】
水、お茶、または成人用飲料物や蒸留酒など、多くの飲料物の選択肢が存在するように企図される。飲料水と合わせて使用するように適合している場合には、上側開口２４は密封蓋を提供するように飲み口を形成する。お茶や他の浸出飲料物で使用するように適合する場合には、飲用ボトル１４は更に、密封状態ですすることを可能にするコーヒーキャップ（図示なし）を含んでもよい。酒類で使用するように適合する場合には、リカーやワインでも使用できるように、同様の装備が設けられてもよい。
【００１９】
このような幅広い機能上の予想を前提として、関連分野に属する通常の知識を有する者には当然のことながら、容器１０の形態または特定の使用目的への適合または変更は、本発明と同等のものであり、或いは、設計上の選択または変更またはその両方に過ぎない。任意の実施形態において、飲用ボトル１４は柑橘類圧搾器１２と作動結合され、且つ、柑橘類圧搾器１２は液体飲用ボトル１４に取り外し可能に連結されると共に、調合容積２０と流体連通する。本明細書に提示される実施形態は、ボトル１４の底部に固定し、或いは、底部に受け入れられる底キャップ２８の使用を企図するように示されているが、かかる実施形態は本発明を可能にする好適な構成の選択肢として選択されており、厳密な限定として意図されているものではない。食用芳香油の抽出を、調合容積２０の任意の液体内容物と直接混合するように、圧潰される食材と調合容積２０の間の流体連通を前提として、柑橘類圧搾器１２を上部または中間部に、或いは任意の配置または形態で載置することも同等である。図７ａから図７ｃに示すように、手で潰すタイプの柑橘類圧搾器の変形例が液体飲用ボトルと組み合わせて示されており、柑橘類圧搾器１２が使用中に上方へ向けられるように、底キャップ２８の下内面に置かれて図示されている。
【００２０】
２．好適な実施形態の作動
本発明の好適な実施形態によれば、いずれかの実施形態に示すように、本発明の作動は、柑橘類または他の食材、例えば果物を底キャップ２８内に置くと共に、漉し器１６の間に封じ込めることにより達成される。次にアセンブリはボトル１４の底にねじ係合され、且つ、ボトル１４は調合容積２０が満たされる。使用者はその時点で、任意の果物を潰して調合容積２０に入れることができる。この直接的な接触により、全ての天然成分が調合容積２０に直接注がれて、爽やかに風味付けされた飲み物が作られると共に、栄養分や食用芳香抽出物を直接的に得ることができる。浸出液は飲まれ、或いはボトル１４から直接的または間接的に使用されることが可能であり、また混合後に冷蔵することも可能である。空になったら、古い材料は廃棄され、アセンブリ部品が洗浄されて、再利用の準備が行われる。
【００２１】
前述の本発明の複数の特定実施形態の記載は、例証および説明を目的として提示されている。前記記載は包括的であり、或いは本発明を開示される詳細な形態に限定するようには意図されておらず、また、上述の教示に鑑み、多くの変更および変形が可能なことは明らかである。上記実施形態は、本発明の原則およびその実際の使用を最も良く説明するために選択および説明されており、従って、当該技術分野に属する通常の知識を有する他の者であっても、本発明や様々な実施形態を、構想される特定の用途に適するように様々に変形させて最良に利用することができるようにする。本発明の範囲は、添付の請求の範囲およびその同等物によって限定されるものである。従って、本発明の範囲は、以下の請求の範囲によってのみ限定されるべきである。
【符号の説明】
【００２２】
１０  容器
１２  柑橘類圧搾器
１４  飲用ボトル
１６  漉し器
１８  のぞき窓
２０  調合容積
２２  上蓋
２４  上部開口
２６  下面
２８  底キャップ
【図１】
2015044624.tif 000003
【図２】
2015044624.tif 000004
【図３】
2015044624.tif 000005
【図４】
2015044624.tif 000006
【図５】
2015044624.tif 000007
【図６】
2015044624.tif 000008
【図７】
2015044624.tif 000009